(57)【要約】      （修正有）【課題】多くの家庭で購入する事ができて、庭の片隅に置き、水害時に、軽量で強度にすぐれたカプセルの中に避難する事により、津波等の水害から避難を可能とする安価な津波救命カプセルを提供する。【解決手段】概ね枡形で下部が括れた形状のカプセル本体１１を樹脂で一体成型し、カプセル本体の上部に防水シートカバー５４を被せるための骨組みを構築し、防水シートカバーには出入口扉５６を設け、カプセル本体には少なくとも４人の大人が膝を抱えて座る事が出来る空間を設けると共に、シートベルトを取付け、カプセル本体の下部には重心を下げるための錘とキャスター付台座１７を取付けた。【選択図】図４
2014058296.tif 000002
【特許請求の範囲】
【請求項１】
津波の際に人が避難するための救命カプセルにおいて、概ね枡形で下部が括れた形状のカプセル本体を樹脂で一体成型し、カプセル本体の上部に防水シートカバーを被せるための骨組みを取付け、防水シートカバーには人が出入するための出入口扉を設け、カプセル本体には少なくとも４人の大人が膝を抱えて座る事が出来る空間を設けると共に、シートベルトを取付け、カプセル本体の下部には重心を下げるための錘とキャスター付台座を取付けた事を特徴とする津波救命カプセルボート。
【請求項２】
カプセル本体の内部の括れた形状の上部の枡形空間に、括れた面と概ね同一面状になるように緩衝材を取付けた事を特徴とする請求項１に記載の津波救命カプセルボート。
【請求項３】
カプセル本体と防水シートの外側に、概ね逆Ｕ字形に形成した補強材を、キャスター付台座に固定した事を特徴とする請求項１に記載の津波救命カプセルボート。
【請求項４】
補強材の上部に、笛とＬＥＤ点滅灯と給排気口が一体となった、笛・点滅灯付給排気口を取付けた事を特徴とする請求項１と３に記載の津波救命カプセルボート。
【請求項５】
笛・点滅灯付給排気口を、人がカプセル内部から上下動作する事が出来るように構成した事を特徴とする請求項１と４に記載の津波救命カプセルボート。
【請求項６】
津波救命カプセルボートが水中に飲み込まれた際、笛・点滅灯付給排気口が水面に浮上する事が出来るように構成した事を特徴とする請求項１と４に記載の津波救命カプセルボート。
【請求項７】
カプセル本体の上部外周と補強材の上部に、衝突時に緩衝材として機能するエアーバックを取付けた事を特徴とする請求項１と３に記載の津波救命カプセルボート。
【発明の詳細な説明】
【技術分野】
【０００１】  本発明は、津波等の水害時に人が乗り込み、安全に避難するための津波救命カプセルに関するものである。
【背景技術】
【０００２】  平成２３年３月１１日に発生した東日本大震災とそれに伴って発生した津波により亡くなった死者と行方不明者の合計は２万人以上にも及び、今後も、東海トラフ地震等の大地震や津波が発生するおそれのある事が指摘されており、災害時に自らの命を救命するための対策を準備しておく事が不可欠になっている。【０００３】  津波災害に遭遇しないためには、いち早く安全な高台等に避難することが必要であるが、震源地が近い時や、高台の無い沿岸部で生活している人にとっては高いビルや高台等へ避難する時間的余裕がなく、特に、高齢者など足腰が弱い人の場合には、地震発生から津波が到達するまでの短時間の内に、ビル等の長い階段を上って高い位置にある屋上へと避難するのは非常に大変な事であり、また、車で避難する場合には交通渋滞等により避難場所までの移動が困難な状況となり、避難途中に津波に巻き込まれて死亡する危険性が高かった。
【先行技術文献】
【特許文献】
【０００４】  従来から、津波や水害の避難時には、例えば特許文献１のように、出入口を有する球形のカプセルと、該球形のカプセルの周りを囲んで設けてあり球形のカプセルとは相対的に自由に動けるように構成してある外殻体と、該外殻体には球形のカプセルの出入口と対応する所要数の出入口を有し、球形カプセルは底に相当する部分が地球の重力中心に向かうよう構成され、災害避難用装置がどのような角度で傾いたとしても、室内スペースの水平状態を保つことにより、災害避難用装置の中に避難した避難者が通常の姿勢を保って避難する事ができる大水災害避難用装置が発明させている。
【特許文献１】特開２００６−１５８８７４
【０００５】  さらに、特許文献２のように、水に対して水密状の内部スペースを有し、開閉扉によって水密に閉塞可能な出入り口がある、球殻形状の中空体構造の浮遊型シェルタも発明されている。
【特許文献２】特開２００４−３２２９３９
【発明の概要】
【発明が解決しようとする課題】
【０００６】  しかしながら、特許文献１に記載の大水災害避難用装置においては、次のような課題が残っていた。
（１）「災害避難用装置Ａ１は、棒状の連結部１１により球殻状（球状）に形成された外殻体であるフレーム構造体１」というような構造で出来ているので、津波等で避難する場合、水中の瓦礫等の障害物に棒状の連結部１１が引掛かって身動きが取れなくなり津波等の水流に逆らうような状態となり、自動車等の大きな漂流物が接触して破損すると言った問題点があった。
（２）「フレーム構造体１の内部で自由方向に回動可能な球形のカプセル２を備えた二重構造となっている」と「室内スペース２００の底部側には、バランス体であるバランス用の錘２２が設けてある。このバランス用の鍾２２により、フレーム構造体１に対してカプセル２の水平状態が保たれるので、室内スペース２００内に入った避難者は通常の姿勢を保つことができる。」というような構造で出来ているので、バランス用の錘２２が底部に取付けられていても、カプセル２が球形で構成されているため、安定性に欠け、水中で容易に上下が逆さになるように回転してしまう言った問題点があった。
（３）「災害避難用装置Ａ１は、棒状の連結部１１により球殻状（球状）に形成された外殻体であるフレーム構造体１と、該フレーム構造体１の内部で自由方向に回動可能な球形のカプセル２とを備えた二重構造となっている。」と「カプセル２は、耐熱性及び水密性等に優れたチタン合金等の金属製素材によって形成されている」というような構造で出来ているので、構造が複雑で製造原価が高くなり、購入できる人が限定されるといった問題点があった。【０００７】  また、特許文献２に記載の浮遊型シェルタにおいては、津波や洪水等の緊急避難のみならず、防災シェルタの機能まで考慮しているため、構造が複雑で製造原価が高くなり、購入できる人が限定されるといった問題点があった。【０００８】  そこで、本発明は、前記問題点を解決すべく発明されたもので、多くの家庭で購入できて、庭の片隅に置き、水害時に、軽量で強度にすぐれたカプセルの中に避難する事により、津波等の水害から避難を可能とする救命カプセルを提供する事を課題とする。
【課題を解決するための手段】
【０００９】  課題を解決するために大切な事は、多くの家庭で購入する事が出来るような、リーズナブルな価格（１０万円台の小売価格）設定と、庭の隅等の狭い場所にも常時設置して置ける様にコンパクトに設計する事が必要である。いくら安全に頑強に製作したとしても価格が高ければ購入できる人が限られ、津波の際に多くの人命を救うことは出来ない。そのため、津波救命カプセルボートを必要以上に頑強に製作するのではなく、多くの人が購入できる価格帯を目標とし、費用対効果を考慮して製作する事が最も大切な事である。【００１０】  かかる課題を解決するため、請求項１に記載の発明は、津波の際に人が避難するための救命カプセルにおいて、概ね枡形で下部が括れた形状のカプセル本体を樹脂で一体成型し、カプセル本体の上部に防水シートカバーを被せるための骨組みを取付け、防水シートカバーには人が出入するための出入口扉を設け、カプセル本体には少なくとも４人の大人が膝を抱えて座る事が出来る空間を設けると共に、シートベルトを取付け、カプセル本体の下部には重心を下げるための錘とキャスター付台座を取付けた事を特徴とする。【００１１】  請求項２に記載の発明は、請求項１に記載の構造に加え、カプセル本体の内部の括れた形状の上部の枡形空間に、括れた面と概ね同一面状になるように緩衝材を取付けた事を特徴とする。【００１２】  請求項３に記載の発明は、請求項１に記載の構造に加え、カプセル本体と防水シートの外側に、概ね逆Ｕ字形に形成した補強材を、キャスター付台座に固定した事を特徴とする。【００１３】  請求項４に記載の発明は、請求項１と３に記載の構造に加え、補強材の上部に、笛とＬＥＤ点滅灯と給排気口が一体となった、笛・点滅灯付給排気口を取付けた事を特徴とする。【００１４】  請求項５に記載の発明は、請求項１と４に記載の構造に加え、笛・点滅灯付給排気口を、人がカプセル内部から上下動作する事が出来るように構成した事を特徴とする。【００１５】  請求項６に記載の発明は、請求項１と４に記載の構造に加え、津波救命カプセルボートが水中に飲み込まれた際、笛・点滅灯付給排気口が水面に浮上する事が出来るように構成した事を特徴とする。【００１６】  請求項７に記載の発明は、請求項１と３に記載の構造に加え、カプセル本体の上部外周と補強材の上部に、衝突時に緩衝材として機能するエアーバックを取付けた事を特徴とする。
【発明の効果】
【００１７】  請求項１に記載の発明によれば、津波の際に人が避難するための救命カプセルにおいて、概ね枡形で下部が括れた形状のカプセル本体を樹脂で一体成型し、カプセル本体の上部に防水シートカバーを被せるための骨組みを取付け、防水シートカバーには人が出入するための出入口扉を設け、カプセル本体には少なくとも４人の大人が膝を抱えて座る事が出来る空間を設けると共に、シートベルトを取付け、カプセル本体の下部には重心を下げるための錘とキャスター付台座を取付けた事により、一人で移動させる事ができ、コンパクトな構造のため設置場所が狭くても設置する事ができ、簡単な構造で、誰でも容易に使用する事ができる安価な救命カプセルを提供する事が可能となった。【００１８】  請求項２に記載の発明によれば、カプセル本体の内部の括れた形状の上部の枡形空間に、括れた面と概ね同一面状になるように緩衝材を取付けた事により、救命カプセルが建物や電柱や浮遊物と衝突した際にも身体に対する衝撃を和らげる事が可能となった。【００１９】  請求項３に記載の発明によれば、カプセル本体と防水シートの外側に、概ね逆Ｕ字形に形成した補強材を、キャスター付台座に固定した事により、救命カプセルが、建物や浮遊物と衝突した際にも救命カプセルが破損するのを防止する事が可能となった。【００２０】  請求項４に記載の発明によれば、補強材の上部に、笛とＬＥＤ点滅灯と給排気口が一体となった、笛・点滅灯付給排気口を取付けた事により、救助してくれる人々（救助隊）に避難者の位置を的確に知らせる事が可能となった。【００２１】  請求項５に記載の発明によれば、笛・点滅灯付給排気口を、人がカプセル内部から上下動作する事が出来るように構成した事により、避難する際には笛・点滅灯付給排気口を高く伸ばして給排気口から水が浸入するのを防くと共に、点滅灯を高く持ち上げる事により救助してくれる人々（救助隊）に避難者の位置を的確に知らせる事が可能となった。【００２２】  請求項６に記載の発明によれば、津波救命カプセルボートが水中に飲み込まれた際、笛・点滅灯付給排気口が水面に浮上する事が出来るように構成した事により、津波等で救命カプセルが一時的に水中に飲み込まれる様な場合においても、笛・点滅灯付給排気口が水面に浮かぶ事により、給排気をする事ができ、さらに笛・点滅灯により救助してくれる人々（救助隊）に避難者の位置を的確に知らせる事が可能となった。【００２３】  請求項７に記載の発明によれば、カプセル本体の上部外周と補強材の上部に、衝突時に緩衝材として機能するエアーバックを取付けた事により、救命カプセルが建物や電柱や浮遊物と衝突した際にも破損するのを防止する事が可能となると共に、身体に対する衝撃を和らげる事も可能となった。
【実施例１】
【００２４】  以下、この発明の実施の形態１について説明する。
［発明の実施の形態１］【００２５】  図１及至図５には、この発明の実施の形態１を示す。【００２６】  図１は、本発明に係る、カプセル本体１１の下部とカプセル本体１１の内部に取付ける部品を斜視図で示す。図１ｂに示すカプセル本体１１の形状は、上部が概ね長方形をした枡形状で下部を少し窄めて樹脂で一体成型し、上部の開口部には補強のための鍔部１０（幅が約３ｃｍ）が形成されると共に、カプセル本体１１の底部には、補強材９と錘１４とキャスター台座１７をカプセル本体１１に固定するための穴１２が底部の四隅の４ヵ所に開けられる。なお、カプセル本体１１の形状を下部が窄み上部が広くなった形状に構成したのは、カプセル本体１１の内部に４人の大人が膝を抱えて座り込むための最低の広さを確保するのと共に、上部を広く構成したのはカプセル本体１１の浮力を大きくするためである。なお、カプセル本体１１の上部開口部の内側寸法は、概ね縦１４０ｃｍ、横１６０ｃｍで、上部開口部から底部までの深さは概ね７０ｃｍである。【００２７】  さらに、カプセル本体１１の下部には、錘１４が配置され、錘１４の下部にはＬ型アングル２１で四角形状に構成されたキャスター台座１７が配置され、Ｌ型アングル２１の下面の四隅には、カプセル本体１１に開けられた穴１２の位置に対応する位置にキャスター１８取付用の穴１６が４ヵ所開けられ、側面には、図３で説明する補強材４６用の固定穴１９、固定穴２０が４ヵ所開けられる。錘１４は、本発明の津波救命カプセルボートの重心を下げるための重量物であり、津波等で避難する場合、津波救命カプセルボートの重心を下げて転覆するのを防止するため、錘１４の四隅には、カプセル本体１１に開けられた穴１２の位置に対応する位置に穴１４が４ヵ所開けられ、錘１４はキャスター台座１７のＬ型アングル２１の内側に収納できる縦横サイズで成形され、Ｌ型アングル２１の内側に収納される。【００２８】  さらに、カプセル本体１１を補強するための補強材として、カプセル本体１１の内部の底面に、Ｌ型アングル２２で四角形状に構成された補強材９が配置され、Ｌ型アングル２２の下面の四隅には、カプセル本体１１に開けられた穴１２の位置に対応する位置にキャスター１８取付用の穴８が４ヵ所開けられる。【００２９】  このように構成された、補強材９に開けられた４ヵ所の穴８、カプセル本体１１に開けられた４ヵ所の穴１２、錘１４に開けられた４ヵ所の穴１３、キャスター台座１８に開けられた４ヵ所の穴１６に対して、キャスター１８のボルト２３を貫通させ、シートベルト固定金具６の穴７にボルト２３を挿入し、ボルト２３をナット３で固定する事により、シートベルト固定金具６と補強材９とカプセル本体１１と錘１４とキャスター台座１７は一体となって固定され、このように固定されたシートベルト固定金具６に対して２人用のシートベルト（シートベルトストラップ１とシートベルトバックル４のセット）が２組取付けられる。【００３０】  図２の図２ｃに、図１で説明した、カプセル本体１１の内部と下部にシートベルト、補強材、錘、キャスター台座１７を固定した状態を示す。【００３１】  図２は、図１で説明したカプセル本体１１の内部に取付けるための緩衝材３８と、カプセル本���１１の鍔部１０の上部に固定するための防水カバー用骨組み３０を示す。カプセル本体１１の内側の、概ね長方形をした枡形状の部分には、図２ｂで示すように上部が厚く下部が薄い立方体で形成され、互いに向い合うような形で４枚のウレタン製の緩衝材３８が取付けられる。この緩衝材３８は、図５で示すように、津波等で避難する際、カプセル本体１１に大人が膝を抱えて座ってシートベルトを着用した際、背中と肩・腕の部分が緩衝材３８のすぐ横に位置するため、カプセル本体１１が建物や浮遊物に衝突した場合でも人体への衝撃を和らげる役目を果たす。【００３２】  図２ａは、図３ｂで説明する防水シートカバー５４を被せるための防水カバー用骨組み３０を示す。防水カバー用骨組み３０をカプセル本体１１の鍔部１０に固定するため、コの字型で下部にボルト３５を挿入して鍔部１０に固定するための穴〈図示せず〉が開けられた銜込部３６が鍔部１０の四隅の４ヵ所に配置されると共に、銜込部３６の上部にソケット３７が固定され、ソケット３７にトラス構造をした山形トラス構造パイプ３３が取付けられ、左右２筒所の山形トラス構造パイプ３３の上部に取付けられた継ぎ合せパイプ３２に上部パイプ３１が取付けられる。このように構成された防水カバー用骨組み３０の銜込部３６をカプセル本体１１の鍔部１０に銜え込ませてボルト３５で鍔部１０を締め付ける事により、防水カバー用骨組み３０はカプセル本体１１に固定される。図３ｃは、防水カバー用骨組み３０がカプセル本体１１に固定された状態を示す。【００３３】  図３は、図２で説明した防水カバー用骨組み３０に取付ける防水シートカバー５４と、カプセル全体を補強するための補強材４６と、カプセルが建物や浮遊物に衝突した場合に人命を守るためのエアーバックを示す。図３ｃは、図２で説明した防水カバー用骨組み３０がカプセル本体１１に固定された状態を示す。カプセル本体１１の上部外周の四面の唾部１０の下側に、同一サイズの４個のサイドエアーバック５８が取付けられ、避難時にはサイドエアーバック５８に取付けられたエアー注入ホース５９に手動給気ポンプ（図示せず）を接続して空気を充填する事によりサイドエアーバック５８が膨らみ、カプセル本体１１を水面に浮き上がらせる役目をすると共に、避難中に建物や浮遊物に衝突した場合でもカプセル１１の損傷を防ぎ、カプセル１１の中に避難した人間に対しても衝撃を緩和させる役目を果たす。【００３４】  図３ｂは、図２ａで説明した防水カバー用骨組み３０に被せるための防水シートカバー５４を示す。防水シートカバー５４は防水カバー用骨組み３０の形状に合わせて左右が山形に形成され、その山形面と、への字形の天井面４１を縫い合わせる（溶着）事により防水シートカバー５４が構成され、−方の天井面４１に人間が出入するための出入口開口部５７を開口し、避難時にカプセル１１内部への水の浸入を防ぐため、扉固定部５３に取付けられた出入口扉５６が天井面４１に対してファスナー５５で開閉自在に取付けられる。【００３５】  図３ａは、図３ｃで説明した、カプセル本体１１と防水カバー用骨組み３０を、建物や浮遊物と衝突した際に守るための補強材４６とエアーバックを示す。補強材４６は平板鋼材を防水カバー��骨組み３０の形状に合わせて、概ね山形トラス状に形成した２本の横部補強材４５、横部補強材５０と、２本の横部補強材４５の上部を繋いで補強するための上部補強材４２で構成され、上部補強材４２はボルト５２により横部補強材４５と横部補強材５０に固定されると共に、横部補強材４５と横部補強材５０の下部に開けられた穴４８にボルト４７を挿入し、図３ｃで説明した固定穴２０に横部補強材４５と横部補強材５０を固定する事により、図４ｂで説明する津波救命カプセルボート７７が出来上がる。【００３６】  さらに、上部補強材４２の左右には、２個の上部エアーバック４３、上部エアーバック５１を横部補強材４５と横部補強材５０に取付け、避難時には上部エアーバック４３と上部エアーバック５１に取付けられたエアー注入ホース４４、エアー注入ホース４９に手動給気ポンプ（図示せず）を接続して空気を充填する事により上部エアーバック４３、上部エアーバック５１が膨らみ、避難中に建物や浮遊物等に追突した場合でも津波救命カプセルボート７７の上部からの衝撃を緩和すると共に、人間の頭部を保護する役割も果たす。なお、カプセル本体１１の上部外周に取付けるエアーバック５８と、補強材４６の上部に取付ける上部エアーバック４３、上部エアーバック５１の合計６個の筒形状をしたエアーバックには大人４人の体重を考慮して、直径約２５〜３０ｃｍ、長さ約１ｍの丈夫なゴム製のエアーバックを用いる。【００３７】  図４ｂは、図３で説明したカプセル本体１１の上部の防水カバー用骨組み３０に防水シートカバー５４を被せ、その防水シートカバー５４の上部に補強材４６を取付けた状態を示す。図４ａは、図４ｂの上部補強材４２に取付けるための笛・点滅灯付給排気口６６の詳細図を示す。【００３８】  図４ａに示す、笛・点滅灯付給排気口６６には、上部にＬＥＤ点滅灯６７と笛６８が取付けられた筒状の上下スライドパイプ７０が、図４ｂに示す、上部補強材４２にボルト７８で固定された取付金具７５に開けたスライド穴７９に挿入され、上下スライドパイプ７０の下部に取付けられたリング状の上下操作アーム７２を避難者がカプセル本体１１の内部から上下に動かす事により、ＬＥＤ点滅灯６７と笛６８の位置を上下に移動させる事が可能となった。さらに上下スライドパイプ７０の上部と下部には上下スライドパイプ７０がスライド穴７６から抜け落ちるのを防止するため、上部に抜け防止リング６９が取付けられると共に、下部にも抜け防止リング７１が取付けられる。このように構成された上下スライドパイプ７０の下部に、柔らかく自在に曲がる事ができる樹脂製のエアーホース７３が取付けられ、給排気口６５を口で銜えて息を吐き出す事により笛６８が「ピー」と鳴ると共に、外気をカプセル内に取込む際には、笛６８から空気を吸い込む事が出来るように構成される。【００３９】  図５は、図４ｂで説明した津波救命カプセルボート７７の中に、津波等の緊急時に大人４人が膝を抱えて座りシートベルト（図１で図示して説明したので、図５では図示していない）を装着した状態を示す。カプセル本体１１の底部に人間７９が膝を抱えて座る事により、津波救命カプセルボート７７の重心が下がり、津波救命カプセルボート７７が横に転倒する可能性が少なくなる。さらに人間７９の背中部分と腕部分にウレタン製の緩衝材３８を装着した事により、建物や漂流物等が津波救命カプセルボート７７に衝突した場合でも、身体への衝撃を緩和する事が可能となった。【００４０】  さらに、津波救命カプセルボート７７のカプセル本体１１の内部には、津波等の緊急時に避難する際に必要な、人体を寒さから守るための「４人分の保温シート」、「懐中電灯付手回しラジオ」と、カプセル本体１１の中に入った水を汲み出たり、大小便にも利用する事ができる「排水具」と、津波救命カプセルボート７７を安全な場所に避難させるための「手回しスクリュウ」と、「鉤付オール」と、津波救命カプセルボート７７を固定するための「錨」が装備される。【００４１】  このように津波救命カプセルボート７７を構成する事により、製造者が津波救命カプセルボート７７を倉庫に保管しておく場合に、カプセル本体１１と防水カバー用骨組み３０、防水シートカバー５４、補強材４６を組立てる前の状態で保管すれば、カプセル本体１１を多数重ねて保管する事が可能となり、保管スペースや保管費用を減らす事が可能になると共に、カプセル本体１１の下部にキャスター１８を取付けた事により、津波救命カプセルボート７７を一人で移動する事が出来るようになった。
【実施例２】
【００４２】  以下、この発明の実施の形態２について説明する。
［発明の実施の形態２］【００４３】  図６は、この発明の実施の形態２を示す。上記発明の実施の形態１では、図４ａにおいて、上下操作アーム７２を上下に動かす事により取付金具７５のスライド穴７６に挿入された上下スライドパイプ７０が上下に移動し、ＬＥＤ点滅灯６７と笛６８の高さを調整する事が出来る。と説明したのに対して、この発明の実施の形態２では、ＬＥＤ点滅灯８６と笛８７がウレタン製のフロート８８に取付けられ、笛８７に接続するエアーホース９０が固定金具９１に開けられた誘導穴９２に挿入されるため、津波等で避難する際、津波救命カプセルボート７７が水中に水没した場合でも、柔らかく自在に曲がる事ができる樹脂製のエアーホース９０が誘導穴９２に対して上下に自在に移動する事が出来るため、フロート８８が水面に浮かび、フロート８８に取付けられたＬＥＤ点滅灯８６が点滅して、救助してくれる人々（救助隊）に避難者の位置を的確に知らせる事が出来ると共に、笛８７で息を呼吸する事が可能となる。さらにフロート８８の下部には丸形状の契合部８９が形成され、通常時には、誘導穴９２に収納されると共に、エアーホース９０の下部にはエアーホース９０が誘導穴９２から抜け落ちるのを防止するため、円筒状の抜け防止９４が取付けられる。その他の構造や上部補強材４２に笛・点滅灯付給排気口８５を取付ける方法は、この発明の実施の形態１と同様である。【００４４】  以上の実施の形態に基づいて、本発明に係るストロータイプの逆止弁付給排気口について詳細に説明してきたが、本発明は、以上の実施の形態に限定されるものではなく、発明の趣旨を逸脱しない範囲において各種の改変をなしても、本発明の技術的範囲に属するのはもちろんである。【００４５】  図１において、カプセル本体１１を樹脂で一体成型すると説明したが、大量生産する場合にはステンレス等の材料を使い、例えば風呂釜のように成型する事も、もちろん可能である。【００４６】  図４ａにおいて、笛６８で息を給排気すると説明したが、笛６８の部分の構造を人が海に潜って遊ぶシュノーケルの先端部分のように構成し、点滅灯付給排気口６６が水中に没した場合には笛６８から水が浸入しないような逆止弁構成にする事も、もちろん可能である。
【図面の簡単な説明】
【００４７】
【図１】この発明の実施の形態１に係る、カプセル本体１１の下部と、カプセル本体１１の内部に取付ける部品を斜視図で示す。
【図２】同実施の形態に係る、カプセル本体とカプセル本体の内部に取付ける緩衝材と、カプセル本体の上部に装着される防水カバー用骨組みを斜視図で示す。
【図３】同実施の形態に係る、カプセル本体に取付ける防水シートカバーと補強材を斜視図で示す。
【図４】同実施の形態に係る、笛・点滅灯付給排気口と津波救命カプセルボートを斜視図で示す。
【図５】同実施の形態に係る、津波救命カプセルボートに人が膝を抱えて座った状態を平面図で示す。
【図６】この発明の実施の形態２に係る、笛・点滅灯付給排気口と津波救命カプセルボートを斜視図で示す。
【符号の説明】
【００４８】１                  シートベルトストラップ
２                  穴
３                  ナット
４                  シートベルトバックル
５                  穴
６                  シートベルト固定金具
７                  穴
８                  穴
９                  補強材
１０                鍔部
１１                カプセル本体
１２                穴
１３                穴
１４                錘
１５                固定穴
１６                穴
１７                キャスター台座
１８                キャスター
１９                固定穴
２０                固定穴
２１                Ｌ型アングル
２２                Ｌ型アングル
３０                防水カバー用骨組み
３１                上部パイプ
３２                継ぎ合せパイプ
３３                山形トラス構造パイプ
３４                固定金具
３５                ボルト
３６                銜込部
３７                ソケット
３８                緩衝材
４１                天井面
４２                上部補強材
４３                上部エアーバック
４４                エアー注入ホース
４５                横部補強材
４６                補強材
４７                ボルト
４８                穴
４９                エアー注入ホース
５０                横部補強材
５１                上部エアーバック
５２                ボルト
５３                扉固定部
５４                防水シートカバー
５５                ファスナー
５６                出入口扉
５７                出入口開口部
５８                サイドエアーバック
５９                エアー注入ホース
６２                エアー注入ホース
６３                エアー注入ホース
６５                給排気口
６６                笛・点滅灯付給排気口
６７                ＬＥＤ点滅灯
６８                笛
６９                抜け防止リング
７０                上下スライドパイプ
７１                抜け防止リング
７２                上下操作アーム
７３                エアーホース
７４                固定穴
７５                取付金具
７６                スライド穴
７７                津波救命カプセルボート
７８                ボルト
７９                人間
８５                笛・点滅灯付給排気口
８６                ＬＥＤ点滅灯
８７                笛
８８                フロート
８９                契合部
９０                エアーホース
９１                取付金具
９２                誘導穴
９３                固定穴
９４                抜け防止
９５                ボルト
【図１】
2014058296.tif 000003
【図２】
2014058296.tif 000004
【図３】
2014058296.tif 000005
【図４】
2014058296.tif 000006
【図５】
2014058296.tif 000007
【図６】
2014058296.tif 000008